(57)【要約】【課題】遊技媒体収納箱を容易にかつ通行障害を招くことなく配置可能で、さらに遊技者に不自然な着座姿勢を強いることがない遊技機用の椅子を提供する。【解決手段】着座部１２の左側部分に設けた肘掛部１４に、玉箱４を収容する箱収容部２０を設け、肘掛部１４に計量器２３及びデジタル表示器２７を設けた。玉箱４を通路に配置しなくて済むので、通行障害を招くことがない。肘掛部１４の箱収容部２０に玉箱４を収容するので、玉箱４の収容を容易に行える。また、着座部の前側に玉箱を配置するようにした従来技術に比して開脚などの不自然な着座姿勢を強いることがなく、その分、座り心地の向上を図ることができる。計量器２３の計測に基づいてパチンコ玉の獲得数及び換金額を求めて、デジタル表示器２７に表示可能で遊技者に便利なものとなる。【選択図】　　　　図１
2004129995.tif 000002
【特許請求の範囲】
【請求項１】
着座部の左右側部分のうち少なくとも一方に、肘掛部を設け、該肘掛部に、遊技媒体収納用の遊技媒体収納箱を収容する箱収容部を設けたことを特徴とする遊技機用の椅子。
【請求項２】
前記肘掛部に、前記箱収容部に収容された遊技媒体収納箱内の遊技媒体の重量を求める重量算出手段と、該重量算出手段の算出重量から得られる前記遊技媒体収納箱内の遊技媒体の数量又は該数量に対応する換金額を表示する表示部を設けたことを特徴とする請求項１に記載の遊技機用の椅子。
【請求項３】
前記重量算出手段は、前記箱収容部への収容重量を計測する計量器と、該計量器の計測値に基づいて前記算出重量を得る演算部と、からなることを特徴とする請求項２に記載の遊技機用の椅子。
【請求項４】
前記肘掛部は、前記着座部の左側部分に設けられることを特徴とする請求項１から３までのいずれかに記載の遊技機用の椅子。
【請求項５】
前記箱収容部は、上方に向けて開口する箱状の箱収容部本体と、該箱収容部本体の開口部に被せられる蓋と、からなることを特徴とする請求項１から４までのいずれかに記載の遊技機用の椅子。
【発明の詳細な説明】
【０００１】
【発明の属する技術分野】
本発明は、パチンコ機やスロットマシン等の遊技機用の椅子に関する。
【０００２】
【従来の技術】
一般にパチンコ機では、パチンコ玉が遊技盤の遊技領域に打ち出されて、所定の遊技が行われ、この遊技に伴い大当たりや入賞等をすると、所定数のパチンコ玉が払い出され、遊技者はこれを獲得する。そして、獲得したパチンコ玉が多くなると、そのパチンコ玉は、玉箱（遊技媒体収納箱）に収納され、例えば遊技者近傍の通路に置かれる。しかし、パチンコ玉を収納した玉箱は、重くなっていることから、座席より下方である通路に前記玉箱を置くことは、やっかいであり、また人の移動に支障を招くという問題点を有する。
【０００３】
この問題点の改善を図るものとして、図３に示す遊技機用の椅子がある（特許文献１参照）。この椅子１は、図３に示すように、着座部２の前側下面に出没自在の箱支持部材３を設け、箱支持部材３に玉箱４を支持する構成となっている。そして、この椅子１によれば、遊技者は、パチンコ玉（遊技媒体）の収納により重くなっている玉箱４を通路まで移動しなくて済み、その分、収納箱の移動を容易に行える。また、通路に収納箱を置かない分、人の移動に支障を招くことがない。
【０００４】
【特許文献１】
特開２００２−３５４０４号公報
【０００５】
【発明が解決しようとする課題】
しかし、図３に示す椅子１では、玉箱４を箱支持部材３に支持させる際には、箱支持部材３を着座部２よりも前方に突出させる必要がある。この際に、遊技者は、突出された箱支持部材３を避けるように開脚などして不自然な姿勢をとらなければならなくて不便であり、また座り心地が低下する。そして、開脚などして着座しなければならないことから、特に女性の遊技客には敬遠されやすく、顧客数の増加の面からも改善を図ることが望まれているというの実情である。
【０００６】
本発明は、上記事情に鑑みてなされたもので、遊技媒体収納箱を容易にかつ通行障害を招くことなく配置可能で、さらに遊技者に不自然な着座姿勢を強いることがない遊技機用の椅子を提供することを目的とする。
【０００７】
【課題を解決するための手段】
請求項１記載に係る遊技機用の椅子の発明は、着座部の左右側部分のうち少なくとも一方に、肘掛部を設け、該肘掛部に、遊技媒体収納用の遊技媒体収納箱を収容する箱収容部を設けたことを特徴とする。
請求項２記載の発明は、請求項１記載の構成において、前記肘掛部に、前記箱収容部に収容された遊技媒体収納箱内の遊技媒体の重量を求める重量算出手段と、該重量算出手段の算出重量から得られる前記遊技媒体収納箱内の遊技媒体の数量又は該数量に対応する換金額を表示する表示部を設けたことを特徴とする。
【０００８】
請求項３記載の発明は、請求項２記載の構成において、前記重量算出手段は、前記箱収容部への収容重量を計測する計量器と、該計量器の計測値に基づいて前記算出重量を得る演算部と、からなることを特徴とする。
請求項４記載の発明は、請求項１から３までのいずれかに記載の構成において、前記肘掛部は、前記着座部の左側部分に設けられることを特徴とする。
請求項５記載の発明は、請求項１から４までのいずれかに記載の構成において、前記箱収容部は、上方に向けて開口する箱状の箱収容部本体と、該箱収容部本体の開口部に被せられる蓋と、からなることを特徴とする。
【０００９】
【発明の実施の形態】
本発明の一実施の形態に係る椅子（遊技機用の椅子）１０を図１及び図２に基づいて説明する。図１及び図２において、椅子１０は、図示しないパチンコ機（遊技機）の前面側に配置され、パチンコ機の遊技の際に用いられるようになっている。この椅子１０は、支柱１１に支持された略矩形の着座部１２と、着座部１２に対し所定の傾斜角をもって連接された背もたれ１４と、着座部１２の左側部分に固定された略直方体形状の肘掛部１４と、から大略構成されている。
【００１０】
着座部１２は、略矩形で中央部に支柱１１の上端部が固定される着座部本体１５と、着座部本体１５に載置される略矩形のクッション部１６と、からなっている。着座部本体１５ひいては着座部１２の左側部分には２枚のブラケット１７を介して前記肘掛部１４が固定されている。背もたれ１４は、着座部本体１５の左右後方部分に連接された略コ字型の枠部１８と、枠部１８に固定された矩形の背もたれ本体１９とからなっている。枠部１８は、この枠部１８を含む面が着座部１２に対して傾斜するように設けられている。
【００１１】
肘掛部１４は、玉箱４（遊技媒体収納箱）を収容する箱収容部２０と、箱収容部２０の前方側（図１左側）に並んで設けられ、上側部分に表示部２１を備える表示部設置部２２と、箱収容部２０の底部側（図１下側）に設けられ、箱収容部２０に収納されたもの（玉箱４及びパチンコ玉）の重量計測を行う計量器２３と、から大略構成されている。玉箱４は、所定数量（この実施の形態では２５００個）のパチンコ玉（遊技媒体）を収納する分の容積をもっている。なお、パチンコ玉１個の重量をｍ、玉箱４の１個の重量をｎとする。
【００１２】
箱収容部２０は、上方に向けて開口する矩形箱状の箱収容部本体２４と、この箱収容部本体２４の開口部に被せられる蓋２５と、からなっている。箱収容部本体２４は、４つの玉箱４を収容し得る容積とされている。蓋２５は、箱収容部本体２４の左側開口縁部に設けられたヒンジ機構２６を介して回動して箱収容部本体２４の開口部を開閉可能とされている。
【００１３】
表示部２１には、デジタル表示器２７と、表示切替ボタン２８とが設けられている。表示切替ボタン２８は、押される毎に後述するパチンコ玉全数量の表示を選択する信号（数量値選択信号）、後述する換金額の表示を選択する信号（換金額選択信号）を交互に出力するようになっている。表示部設置部２２には、デジタル表示器２７、表示切替ボタン２８及び計量器２３に接続されたコントローラ（演算部）３０が配置されている。コントローラ３０は、玉箱４の１個の重量ｎ、パチンコ玉１個の重量ｍ、及び各ホールに対応して定められる換金率を予め記憶しており、この記憶データ、前記計量器２３からの計測情報である計測重量Ａ及び表示切替ボタン２８からの選択信号（数量値選択信号、換金額選択信号）に基づいて次のような演算制御を行う。
【００１４】
すなわち、コントローラ３０は、計量器２３が計測した計測重量Ａを入力し、この計測重量Ａから玉箱４の重量値（収容された全ての玉箱４の重量。以下、玉箱全重量という。）Ｎを引いてパチンコ玉の重量（以下、パチンコ玉全重量という。）Ｍを求め、このパチンコ玉全重量Ｍと前記パチンコ玉１個当りの重量ｍに基づいて箱収容部本体２４に収容された玉箱４内のパチンコ玉の数量（以下、パチンコ玉全数量という。）Ｓを求める。さらに、コントローラ３０は、パチンコ玉全数量Ｓと前記換金額を求める。コントローラ３０は、数量値選択信号を入力するとデジタル表示器２７に前記パチンコ玉全数量Ｓを表示させる。また、換金額選択信号を入力するとデジタル表示器２７に前記換金額を表示させる。なお、初期状態では、コントローラ３０は数量値選択信号を入力されたとして作動するようになっている。本実施の形態では、計量器２３及びコントローラ３０が重量算出手段を構成し、コントローラ３０が演算部を構成している。
【００１５】
前記玉箱全重量Ｎは、前記玉箱４の１個の重量ｎに後述する収容玉箱数Ｔａを掛けて求める（Ｎ＝ｎ×Ｔａ）が、この収容玉箱数Ｔａは次のようにして算出している。すなわち、コントローラ３０は、前記計測重量Ａをパチンコ玉１個の重量ｍで割った値（以下、箱数算出用パチンコ玉換算個数という。）Ｋ（＝Ａ／ｍ）を求め、この箱数算出用パチンコ玉換算個数Ｋと玉箱４が収納し得るパチンコ玉の数量（この実施の形態では２５００個）とを対比して、箱収容部本体２４に収容された玉箱４の個数（前記収容玉箱数Ｔａ）を求める。
例えば箱数算出用パチンコ玉換算個数Ｋが（２５００＋ｎ／ｍ）個未満である場合には収容玉箱数Ｔａを１とする。ここで、ｎ／ｍは、玉箱４の重量ｎに相当するパチンコ玉の個数に対応している。また、箱数算出用パチンコ玉換算個数Ｋが（２５００＋ｎ／ｍ）〜（５０００＋ｎ／ｍ）個未満である場合には収容玉箱数Ｔａを２とし、（５０００＋ｎ／ｍ）〜（７５００＋ｎ／ｍ）個未満である場合には収容玉箱数Ｔａを３とし、（７５００＋ｎ／ｍ）以上である場合には収容玉箱数Ｔａを４としている。
【００１６】
上述したように構成した椅子１０では、この椅子１０に着座した遊技者は蓋２５を閉じた状態で蓋２５に左腕を置くことができる。
また、ヒンジ機構２６を介して蓋２５が回動されて箱収容部本体２４が開けられ、箱収容部本体２４に玉箱４が収容される。玉箱４の収容部分が、肘掛部１４にあることから、玉箱を通路に置くようにした場合に比して、玉箱４の移動量が少なくて、その分、玉箱４の配置（収容）を容易に行える。さらに、玉箱４を通路に置いた場合に惹起する人の移動に対する支障を回避することができ便利なものになる。
【００１７】
さらに、玉箱４が肘掛部１４の箱収容部本体２４に収容されるので、玉箱の配置を着座部の前側で行う従来技術で起こり得た開脚作動のような不自然な着座姿勢を遊技者に強いることがない。そして、上述した不自然な姿勢をしなくて済むことから、座り心地の低下を招くことがなく、遊技者は遊技に、より集中できることになる。特に、開脚して着座しなくて済むことから、女性遊技者なども抵抗感を持つことなく使用することができ、これに伴いホールでは顧客数の増加を図ることができる。
【００１８】
上述したように箱収容部本体２４が開けられた状態で、パチンコ玉が収納された玉箱４を箱収容部本体２４に収容すると、計量器２３が収容物の重量を計測し、計測により得た計測重量Ａをコントローラ３０に出力する。
コントローラ３０は、上述したように計測重量Ａ及び予め記憶しているデータ（玉箱４の１個の重量Ｍ及びパチンコ玉１個当りの重量ｍ等）から玉箱全重量Ｎ及びパチンコ玉全重量Ｍを求め、さらに、パチンコ玉全数量Ｓ及びパチンコ玉全数量Ｓに対応する換金額を求める。この初期段階では、デジタル表示器２７にパチンコ玉全数量Ｓが表示される。そして、遊技者はデジタル表示器２７の表示内容を、獲得するパチンコ玉の数の目安として利用できる。また、表示切替ボタン２８を１度押すことによりデジタル表示器２７に換金額が表示されるので、遊技者はこの表示内容を、遊技者は獲得する金額の目安として利用できる。
【００１９】
この実施の形態では、肘掛部１４を着座部１２の左側部分に設けている。そして、一般的にパチンコ機（遊技機）の右側に設けられる操作ハンドルの操作に用いる右手の動きを邪魔するようなことがない。このため、遊技の中断を避けることができ、ひいては遊技の緊張感を持続することができる。
【００２０】
なお、肘掛部１４は着座部１２の左側部分に設けることに限られるものでなく、着座部１２の右側部分に設けるようにしてもよい。このように構成した（肘掛部１４を着座部１２の右側部分に設ける）椅子では、例えば操作ハンドルを左側に配置したパチンコ機に用いて便利なものとなる。
【００２１】
上記実施の形態では、玉箱４の容積がパチンコ玉で所定数（２５００個）に対応するものであることから、収容玉箱数Ｔａの算出の際に、箱数算出用パチンコ玉換算個数Ｋに対して（２５００＋ｎ／ｍ）個、（５０００＋ｎ／ｍ）個のように２５００個毎に閾値を定め、この閾値に対応して収容玉箱数Ｔａを１ずつ変えるようにしている。一方、前記所定数（２５００個）より少ない数のパチンコ玉を収納した玉箱４が箱収容部本体２４に収容されることもある。このことを考慮して、箱数算出用パチンコ玉換算個数Ｋが前記閾値付近の値である場合には、デジタル表示器２７に表示されるパチンコ玉全数量Ｓまたは換金額に、例えば「±○○」のように誤差のあることを表示するようにしてもよい。
【００２２】
上記実施の形態では、肘掛部１４が着座部１２に固定される場合を例にしたが、これに代えて着脱可能に取付けるようにしてもよい。
上記実施の形態では、椅子１０がパチンコ機に用いられる場合を例にしたが、椅子１０はスロットマシン等他の遊技機に用いるようにしてもよい。
【００２３】
【発明の効果】
請求項１から５までのいずれかに記載に係る遊技機用の椅子の発明によれば、着座部の左右側部分のうち少なくとも一方に、肘掛部を設け、該肘掛部に、遊技媒体収納用の遊技媒体収納箱を収容する箱収容部を設けているので、遊技媒体収納箱が肘掛部の箱収容部に収容され、着座部の前側に遊技媒体収納箱を配置するようにした従来技術に比して開脚などの不自然な着座姿勢を強いることがなく、座り心地の低下を招くことがなく、遊技者は遊技に、より集中できることになる。また、女性遊技者なども抵抗感を持つことなく使用することができ、これに伴いホールでは顧客数の増加を図ることができる。
【００２４】
玉箱が肘掛部に設けた箱収容部本体に収容されるので、遊技媒体収納箱を通路に置くようにした場合に比して、遊技媒体を収納して重くなっている遊技媒体収納箱について移動量が少なくて済み、その分、遊技媒体収納箱の配置を容易に行えるとともに、遊技媒体収納箱を通路に置いた場合に惹起する人の移動に対する支障を回避することができ便利なものになる。
【００２５】
請求項２から５までのいずれかに記載に係る遊技機用の椅子の発明によれば、肘掛部に、前記箱収容部に収容された遊技媒体収納箱内の遊技媒体の重量を求める重量算出手段と、該重量算出手段の算出重量から得られる前記遊技媒体収納箱内の遊技媒体の数量又は該数量に対応する換金額を表示する表示部を設けたので、遊技者は、表示部の表示内容を、獲得する遊技媒体の数や金額の目安として利用することができる。
【００２６】
請求項４又は５に記載に係る遊技機用の椅子の発明によれば、肘掛部は、前記着座部の左側部分に設けられているので、一般的に遊技機の操作部の操作に用いる右手の動きを邪魔するようなことがない。このため、遊技の中断を避けることができ、ひいては遊技の緊張感を持続することができる。
【図面の簡単な説明】
【図１】本発明の一実施の形態に係る椅子を模式的に示す斜視図である。
【図２】図１の椅子を示す分解斜視図である。
【図３】従来の遊技機用の椅子の一例を示す斜視図である。
【符号の説明】
４　　玉箱
１０　椅子（遊技機用の椅子）
１２　着座部
１４　肘掛部
２０　箱収容部
２３　計量器（重量算出手段）
２４　箱収容部本体
２５　蓋
２７　デジタル表示器
３０　コントローラ（重量算出手段、演算部）
【図１】
2004129995.tif 000003
【図２】
2004129995.tif 000004
【図３】
2004129995.tif 000005